(57)【要約】  本発明の目的は、ショートサーキットを抑制でき、且つルーバの撓みも防止できる空気調和機の室内機を得ることにある。  空気調和機の室内機は、吸込口と、前記吸込口の周囲を取り囲むように設けられた複数の吹出口と、前記各吹出口に設けられ吹出し方向を調節可能に構成されている複数のルーバを備える。室内機の停止時には前記ルーバは前記吹出口を閉じる方向に回動されると共に、前記吹出口を閉じる方向に回動された室内機停止時のルーバ角度を全閉角度とし、前記室内機の運転時に前記ルーバの動作を設定するためのリモコンを備え、前記リモコンで設定可能な前記ルーバの角度のうちの最小角度を第１角度とし、最大角度を第２角度としたとき、暖房運転時に、複数の前記吹出口の内、一部の吹出口のルーバ角度が、室内機停止時のルーバ角度である全閉角度よりも大きく且つ前記第１角度よりも小さい第３角度に設定され、他の前記吹出口のルーバはオートスイングまたは下吹きに設定される。
2019155513.tif 000002
【特許請求の範囲】
【請求項１】
吸込口と、前記吸込口の周囲を取り囲むように設けられた複数の吹出口と、前記各吹出口に設けられ吹出し方向を調節可能に構成されている複数のルーバと、を備える空気調和機の室内機において、  室内機の停止時には前記ルーバは前記吹出口を閉じる方向に回動されると共に、前記吹出口を閉じる方向に回動された室内機停止時のルーバ角度を全閉角度とし、  前記室内機の運転時に前記ルーバの動作を設定するためのリモコンを備え、前記リモコンで設定可能な前記ルーバの角度のうちの最小角度を第１角度とし、最大角度を第２角度としたとき、  暖房運転時に、複数の前記吹出口の内、一部の吹出口のルーバ角度が、室内機停止時のルーバ角度である全閉角度よりも大きく且つ前記第１角度よりも小さい第３角度に設定され、他の前記吹出口のルーバはオートスイングに設定されることを特徴とする空気調和機の室内機。
【請求項２】
請求項１に記載の空気調和機の室内機において、  前記室内機は、前記吸込口の周りにルーバを設けた吹出口が４か所設けられている４方向室内機であることを特徴とする空気調和機の室内機。
【請求項３】
請求項１に記載の空気調和機の室内機において、  前記第３角度に設定されるルーバは、所定時間全閉角度に保持された後、前記第３角度に制御されることを特徴とする空気調和機の室内機。
【請求項４】
請求項１に記載の空気調和機の室内機において、  室内機停止時のルーバ角度である全閉角度を０度としたとき、前記第１角度は２７〜３０度の範囲で、前記第２角度は６０〜７０度の範囲で、それぞれ任意に設定され、更に前記第３角度は５〜２５度の範囲で任意に設定されていることを特徴とする空気調和機の室内機。
【請求項５】
請求項４に記載の空気調和機の室内機において、  前記第３角度は１０〜１８度の範囲で任意に設定されていることを特徴とする空気調和機の室内機。
【請求項６】
請求項１に記載の空気調和機の室内機において、  暖房運転開始時には、全ての前記吹出口のルーバが下吹きに設定され、所定時間経過後、複数の前記吹出口の内、一部の吹出口のルーバ角度が前記第３角度に設定され、他の前記吹出口のルーバはオートスイングに設定されることを特徴とする空気調和機の室内機。
【請求項７】
請求項１に記載の空気調和機の室内機において、  前記第３角度に設定されるルーバは所定時間毎に順次切り替えられるように構成されていることを特徴とする空気調和機の室内機。
【請求項８】
吸込口と、前記吸込口の周囲を取り囲むように設けられた複数の吹出口と、前記各吹出口に設けられ吹出し方向を調節可能に構成されている複数のルーバと、を備える空気調和機の室内機において、  室内機の停止時には前記ルーバは前記吹出口を閉じる方向に回動されると共に、前記吹出口を閉じる方向に回動された室内機停止時のルーバ角度を全閉角度とし、  前記室内機の運転時に前記ルーバの動作を設定するためのリモコンを備え、前記リモコンから設定可能なルーバ角度のうちの最小角度を第１角度、最大角度を第２角度としたとき、  暖房運転時に、複数の前記吹出口の内、一部の吹出口のルーバ角度が、室内機停止時のルーバ角度である全閉角度よりも大きく且つ前記第１角度よりも小さい第３角度に設定され、他の前記吹出口のルーバは下吹きに設定されることを特徴とする空気調和機の室内機。
【請求項９】
請求項８に記載の空気調和機の室内機において、  前記室内機は、前記吸込口の周りにルーバを設けた吹出口が４か所設けられている４方向室内機であり、  暖房運転開始直後の立上げ運転時には、４つの前記吹出口の内、一部の吹出口のルーバは前記第３角度に制御されると共に、他の前記吹出口のルーバは下吹きに設定され、所定時間経過後、一部の吹出口のルーバは前記第３角度に設定され、他の複数の吹出口のルーバをオートスイングさせて攪拌運転を行うことを特徴とする空気調和機の室内機。
【請求項１０】
請求項８に記載の空気調和機の室内機において、  前記第３角度に設定されるルーバは、所定時間全閉角度に保持された後、前記第３角度に制御されることを特徴とする空気調和機の室内機。
【発明の詳細な説明】
【技術分野】
【０００１】  本発明は、複数の吹出口を有し、それぞれの吹出口の風向を制御するためのルーバを備える空気調和機の室内機に関し、特に４方向天井カセット形の室内機に好適なものである。
【背景技術】
【０００２】  従来の空気調和機の室内機として、複数の吹出口（例えば４つ）を有し、それぞれの吹出口の風向を制御するためのルーバを備える天井カセット形のものがある。【０００３】  通常、空気調和機の室内機におけるルーバは、ユーザがリモコンで設定した風向になるように構成されているが、特定の運転条件では、前記室内機それ自身が強制的にルーバを制御して風向を変更するように構成されているものがある。例えば、暖房開始時に、室内を迅速に暖める暖房運転立上げ制御を実施しているときや、通常の暖房運転時に、室内の上部と下部の温度ムラを改善する制御等を実施しているときである。【０００４】  上述した暖房運転立上げ制御を実施するようにした従来技術としては、特開平８−３２０１４５号公報（特許文献１）に記載のものがある。この特許文献１に記載の空気調和機の室内機（室内ユニット）ものでは、暖房運転開始時（暖房運転立上げ時）に、ルーバ角度を下方向に向けて暖かい空気を室内の居住空間内に直接的に吹出して対流暖房させて室内を暖める。そして、室内温度と設定温度との差が所定値以内となったとき、ルーバを上下にスイングさせ、更に所定時間経過後、吹出空気の風向を天井面に略平行な方向（水平吹き）に制御して輻射暖房運転に移行させることが記載されている。【０００５】  これにより、室内温度の低下を有効に防止しつつ、天井付近の暖気の輻射熱により、室内の居住者に暖気気流を感じさせない快適な暖房を行うことができることが記載されている。【０００６】  また、通常の暖房運転時に、室内の上部と下部の温度ムラを改善する制御を実施するようにした従来技術としては、特開２０１１−１９６６６６号公報（特許文献２）に記載のものがある。この特許文献２に記載のものでは、温度ムラ状態であると判断した場合、温度ムラ解消制御部はルーバのスイング動作を開始させ、所定条件が満たされた場合にスイング動作を停止させ、その後ルーバが下向き姿勢を採るように制御することが記載されている。
【先行技術文献】
【特許文献】
【０００７】
【特許文献１】特開平８−３２０１４５号公報
【特許文献２】特開２０１１−１９６６６６号公報
【発明の概要】
【発明が解決しようとする課題】
【０００８】  上記特許文献１のものでは、暖房開始時にはルーバ角度を下方向に向けて対流暖房させて室内を暖め、室内温度と設定温度との差が所定値以内となったとき、ルーバを上下にスイングさせて、天井付近と人が居る床面付近の両方を暖めることができる。【０００９】  また、上記特許文献２のものでは、温度ムラ状態になると、ルーバのスイング動作を開始させ、所定条件が満たされるとスイング動作を停止させて、ルーバが下向き姿勢を採るように制御し、温度ムラを軽減するようにしている。【００１０】  しかし、吸込口を取り囲むように複数（例えば４つ）の吹出口を備える空気調和機の室内機の場合、暖房運転時に、全てのルーバを下向きにしたり、全てのルーバを上下にスイング動作を行うと、全ての吹出口の風向が同時に下吹きになる状態が生じる。全ての吹出口の風向が同時に下吹きになると、吹出空気が室内空間に広がる前に前記吸込口に吸い込まれてしまう現象、即ちショートサーキットが発生し易くなり、暖房能力が低下するという課題がある。【００１１】  また、前記吸込口に吸込空気温度センサが設置される場合が一般的であるが、ショートサーキットが発生すると、前記吸込温度センサに吹き出し空気が当たることにより、吸込空気温度センサは実際の室内空気温度よりも高い温度を検知し、不必要な暖房停止（サーモオフ）を引き起こすという課題もある。【００１２】  なお、４つの吹出口を備える室内機において、一部の吹出口のルーバを全閉位置（運転停止時の位置）とすることで、残りの吹出口における風速を増加させて上下温度差の小さい（温度ムラの小さい）室内環境を創出するようにしたものもあるが、ルーバを全閉位置にすると高温空気の風圧が作用するためルーバが撓むという課題がある。【００１３】  本発明の目的は、ショートサーキットを抑制でき、且つルーバの撓みも防止できる空気調和機の室内機を得ることにある。
【課題を解決するための手段】
【００１４】  上記目的を達成するため、本発明は、吸込口と、前記吸込口の周囲を取り囲むように設けられた複数の吹出口と、前記各吹出口に設けられ吹出し方向を調節可能に構成されている複数のルーバと、を備える空気調和機の室内機において、室内機の停止時には前記ルーバは前記吹出口を閉じる方向に回動されると共に、前記吹出口を閉じる方向に回動された室内機停止時のルーバ角度を全閉角度とし、前記室内機の運転時に前記ルーバの動作を設定するためのリモコンを備え、前記リモコンで設定可能な前記ルーバの角度のうちの最小角度を第１角度とし、最大角度を第２角度としたとき、暖房運転時に、複数の前記吹出口の内、一部の吹出口のルーバ角度が、室内機停止時のルーバ角度である全閉角度よりも大きく且つ前記第１角度よりも小さい第３角度に設定され、他の前記吹出口のルーバはオートスイングまたは下吹きに設定されることを特徴とする。
【発明の効果】
【００１５】  本発明によれば、ショートサーキットを抑制でき、且つルーバの撓みも防止できる空気調和機の室内機を得ることができる効果がある。
【図面の簡単な説明】
【００１６】
【図１】本発明の空気調和機の室内機の実施例１を示す斜視図である。
【図２】図１に示す室内機の縦断面図である。
【図３】図１，図２に示す吹出口の１つの要部断面図で、ルーバが全閉状態の図である。
【図４】図１，図２に示す吹出口の１つの要部断面図で、室内機運転中のルーバの最小角度（第１角度）と最大角度（第２角度）を示す図である。
【図５】図１，図２に示す吹出口の１つの要部断面図で、本実施例１におけるルーバの第３角度について説明する図である。
【図６】図５に示すルーバが第３角度の状態での作用を説明する図である。
【図７】従来の空気調和機の室内機における立上げ運転時とその後の攪拌運転時でのルーバ動作を説明する図である。
【図８】図７において、立上げ運転時とその後の攪拌運転時に全てのルーバが下吹きとなった場合のショートサーキット現象について説明する図である。
【図９】空気調和機の室内機の実施例１における立上げ運転時とその後の攪拌運転時でのルーバ動作を説明する図である。
【図１０】図９に示す攪拌運転時におけるルーバ動作と、吹出し空気の流れ及び吸込み空気の流れを説明する図である。
【図１１】空気調和機の室内機の実施例２における立上げ運転時とその後の攪拌運転時でのルーバ動作を説明する図である。
【図１２】空気調和機の室内機の実施例３における立上げ運転時とその後の攪拌運転時でのルーバ動作を説明する図である。
【発明を実施するための形態】
【００１７】  以下、本発明の具体的実施例を図面に基づいて説明する。各図において、同一符号を付した部分は同一或いは相当する部分を示している。
【実施例１】
【００１８】  本発明の空気調和機の室内機の実施例１を図１〜図６を用いて説明する。  まず、図１を用いて本実施例１における空気調和機の室内機の全体構成を説明する。図１は、本実施例１の空気調和機の室内機を示す斜視図である。【００１９】  図１に示すように、空気調和機の室内機１は、図示していない室外機と冷媒配管で接続されて冷媒回路が形成され、冷媒が循環されて冷凍サイクルを構成している。この室内機１は、いわゆる天井カセット型であり、室内の天井などに埋め込まれる筐体２と、この筐体２の下面開口を塞ぐように設けられた化粧パネル３などを備え、前記化粧パネル３には、中央に設けられ、室内空気を吸い込む吸込口４と、この吸込口４を囲むように４か所設けられた空気の吹出口５を備えている。【００２０】  前記吸込口４には吸込グリル６が設けられ、また前記各吹出口５には、それぞれ前記吹出口５から吹出される空気の吹出し方向を調節するルーバ７が回動自在に設けられている。なお、図１に示すルーバ７は、室内機１が停止されて、全閉となっている状態、即ちルーバ角度が全閉角度（０度）の状態を示している。全閉とは吹出口５を完全に塞いでいる状態だけでなく、ルーバが吹出口をほぼ塞ぐように、ほぼ水平になっていて開口面積が最小となっている状態も含んでいる。【００２１】  図２は図１に示す室内機１の縦断面図である。この図２に示すように、前記筐体２内の中央部にはモータ８と、このモータ８の回転軸に接続された遠心ファン９が設置されている。前記モータ８は前記筐体２の天板中央に固定されている。【００２２】  また、前記遠心ファン９を取り囲むように、その遠心ファン９の周囲には平面視でロ字状の熱交換器１０が設置されている。この熱交換器１０はクロスフィン型のフィンアンドチューブ熱交換器である。また、この熱交換器１０の下部には該熱交換器１０で生じる結露水を受けるためのドレンパン１１が設置されている。このドレンパン１１としては、一般に発泡スチロール製の断熱材が使用され、前記熱交換器１０の下端に沿った水受溝が形成され、この水受溝に前記熱交換器１０の下端部が入り込んでいる。また、図示はしていないが、前記ドレンパン１１を構成する断熱材と一体、或いは別体の断熱材で吹出口５が形成されている。【００２３】  ２０は室内の天井であり、前記室内機１は前記天井２０に前記筐体２の部分が埋め込まれて設置されている。前記化粧パネル３は前記筐体２よりも一回り大きな正方形状に形成されて、前記筐体２の下面を覆うように前記天井２０に沿って配置され、室内空間に露出している。【００２４】  前記化粧パネル３の吹出口５に設けられているルーバ７は、図２では全閉位置（ルーバ角度が０度）となっており、室内機１の運転が停止されている状態を示している。室内機１が運転開始されると、前記吹出口５を開くように、前記ルーバ７は回動され、下吹きや横吹き（水平吹き）など、ユーザがリモコン（図示せず）から設定した所定の角度に固定される。或いはユーザがリモコンから、ルーバ７の動作をオートスイングに設定すると、ルーバ７は最小角度から最大角度の範囲で、オートスイング動作を行う。【００２５】  また、前記室内機１の運転が開始されると、室内空気が前記吸込口４及び吸込グリル６を介して前記遠心ファン９の吸込部１２から吸込まれ、該遠心ファン９の吐出部１３から外周方向に吐出される。前記遠心ファン９から吐出された空気は、前記熱交換器１０を通過して冷却或いは加熱された後、この空調空気は、前記熱交換器１０の外周面と前記筐体２の内周面で形成される風路１４を介して、前記化粧パネル３に形成されている前記吹出口５から室内に吹出される。【００２６】  この時、前記ルーバ７が下吹きの角度に設定されていると、前記空調空気は下方に吹出され、横吹きの角度に設定されていると、ほぼ横方向（水平方向）に吹出される。更に、前述したオートスイングに設定された場合、ルーバ７は最小角度から最大角度の範囲で、オートスイング動作を行うので、前記空調空気は、前記ルーバ７の動きに応じて水平に近い方向から垂直に近い方向まで吹出される。    なお、図２において、１５は前記遠心ファン９の下方に配置され、中央部に徐々に径を小さくしながら前記遠心ファン９の吸込部１２に向けて立ち上がった開口部をもつベルマウスであり、このベルマウス１５は前記吸込口４から吸い込まれた空気を前記遠心ファン９に案内するためのものである。また、前記ベルマウス１５は、前記ドレンパン１１と共に、前記筐体２の内部空間を、前記遠心ファン９の吸込側と吹出側に仕切っている。【００２７】  １６は室内機１の運転を制御するための制御基板等を収納している電気品箱で、この電気品箱１６は前記ベルマウス１５の下面に設置されている。１７は前記吸込グリル６の上側に設置された吸込フィルタである。【００２８】  次に、ルーバ７が全閉状態、即ちルーバ７が全閉角度（０度）の状態でのルーバ７付近の構成を、図３を用いて説明する。図３は図１，図２に示す吹出口の１つの要部断面図で、ルーバが全閉角度状態の図である。前記室内機１の運転が停止されると、前記ルーバ７は図３に示す全閉角度の状態となり、室内機１の停止中に異物が室内機内に侵入するのを防止すると共に、室内機停止時の意匠性を向上させている。【００２９】  ルーバ７の全閉角度（０度）とは、この図３に示すように、一般には、吹出口５を完全に塞ぐ状態ではなく、ルーバ７の左端及び右端と、吹出口５を形成している化粧パネル３の壁面との間には僅かな隙間が形成されている状態であり、ルーバ７と吹出口５の壁面とが干渉しないように構成されている。  なお、図３において、３ａは前記吹出口５を形成している発泡スチロール製などの断熱材である。【００３０】  前記ルーバ７は、図１に示すように、前記吹出口５の長手方向の一端から他端に亘って延びる細長い板状或いは翼形状に形成され、このルーバ７は、その長手方向に延びる中心軸１８に取付部材１９を介して固定されている。前記中心軸１８はその両端側に配設された支持部材（図示せず）に回転自在に支持され、ステッピングモータなどにより、その回動が制御される。【００３１】  図４は図１，図２に示す吹出口の１つの要部断面図で、室内機運転中のルーバの最小角度と最大角度を示す図である。即ち、図４は室内機１が運転されている状態での、ルーバ７の動作範囲を示しており、実線で示すルーバ７ａは、リモコン（図示せず）でユーザが設定できるルーバ７の最小角度（第１角度）を示し、一点鎖線で示すルーバ７ｂは、リモコンでユーザが設定できるルーバ７の最大角度（第２角度）を示している。【００３２】  前記ルーバ７が最小角度（第１角度）の位置７ａに設定されると、吹出口５から吹出される空調空気はほぼ水平方向に吹出される横吹き運転となる。一方、前記ルーバ７が最大角度（第２角度）の位置７ｂに設定されると、吹出口５から吹出される空調空気はほぼ垂直方向に吹出される下吹き運転となる。【００３３】  なお、図３に示す室外機１停止時のルーバ角度である前記全閉角度を０度としたとき、本実施例では、前記最小角度（第１角度）を例えば２８度とし、前記最大角度（第２角度）を例えば６４度としている。なお、前記最小角度（第１角度）は、例えば２７〜３０度程度の範囲で任意に設定すると良い。また、前記最大角度（第２角度）は、例えば６０〜７０度程度の範囲で任意に設定すると良い。【００３４】  室内機１運転中の前記ルーバ７の角度は、前述した最小角度と最大角度にリモコンから設定可能なだけでなく、前述した最小角度と最大角度との間を数度刻みで複数段階、リモコンから設定可能に構成されている。例えば、最小角度を１段目、最大角度を７段目として、前記１段目と７段目の間に５段階（２段目〜６段目）の角度を設定できるように構成されている。なお、ルーバ７の角度は７段階に限られず、それより多くしても小さくしても良い。また、ルーバ角度を無段階で任意の角度に設定できるように構成しても良い。【００３５】  リモコンから前記ルーバ７の動作をオートスイングに設定すると、ルーバ７は、オートスイング設定開始時の角度、例えば最小角度である１段目から順次２段目、３段目、…と角度が最大角度の７段目まで増加し、その後、逆方向に順次６段目、５段目、…と最小角度の１段目まで減少するという往復動作を繰り返す。【００３６】  なお、オートスイングは１段目〜７段目の間の往復動作に限られず、例えば３段目〜７段目の往復動作をするように構成しても良い。また、オートスイング時には、ルーバ角度が無段階に滑らかに変化するように構成することもできる。【００３７】  上述したような空気調和機の室内機において、例えば暖房運転において、外気温度と室温との温度差が非常に大きいような高負荷運転時には、暖かい空気が下方向に供給されるように風向を下吹きとすることが行われているが、吹出し空気を十分に床面まで到達させることができない場合がある。【００３８】  また、室内機１の吹出口５の開口面積を小さくするための別の手段として、４つ設けられている前記吹出口５のうちの一部の吹出口のルーバを、図３に示すように、全閉位置（運転停止時の位置）とすることで、残りの吹出口における風速を増加させることも考えられる。【００３９】  しかし、一部の吹出口５のルーバ７を全閉位置にして室内機を運転すると、全閉位置にされたルーバは、吹出し空気の風圧によって大きくたわむと共に、前記吹出し空気は高温であるため、樹脂製のルーバは長時間運転されると塑性変形を引き起こし易いという課題がある。【００４０】  上記課題を解決する本実施例の空気調和機の室内機の構成を、図５及び図６を用いて説明する。図５は図１，図２に示す吹出口の１つの要部断面図で、本実施例１におけるルーバの第３角度について説明する図、図６は図５に示すルーバが第３角度の状態での作用を説明する図である。【００４１】  図５において、一点鎖線で示すルーバ７の位置７ａは、前記ルーバ７が最小角度（第１角度）の位置に設定されている場合を示し、同じく一点鎖線で示すルーバ７の位置７ｂは、前記ルーバ７が最大角度（第２角度）の位置に設定されている場合を示している。これらのルーバ７の位置７ａ，７ｂはリモコン（図示せず）から設定可能なルーバ７の角度であり、従来の室内機に一般的に具備されている機能である。また、前記ルーバ７は前記第１の角度位置７ａから前記第２の角度位置の範囲でオートスイングする機能も一般的に備えられており、リモコンから設定可能である。【００４２】  本実施例は、図１に示す４つの吹出口５におけるそれぞれのルーバ７の角度を、図５に示すように、図３に示す室内機停止時のルーバ角度である全閉角度（ルーバ角度０度）よりも大きく且つリモコンから設定可能な前記ルーバ７の最小開度である第１角度よりも小さい第３角度の位置７ｃに設定できるように構成されているものである。【００４３】  前記ルーバ７の第３角度の位置７ｃは、ユーザがリモコンから設定できる角度ではなく、暖房運転の運転開始時など、予め定めた所定の運転条件の場合に、空気調和機の室内機１等に備えられている制御装置（図示せず）から自動的に設定されるルーバ７の角度位置である。  例えば前記第１の角度が２８度である場合、前記第３角度は、室内機停止時の全閉角度である０度よりも大きく、ユーザがリモコンから設定できる最小角度である前記第１角度（２８度）よりも小さい角度、例えば１４度などに設定される。前記第３角度は、１４度には限られず、５〜２５度の範囲、好ましくは１０〜１８度の範囲で任意に設定すると良い。【００４４】  即ち、本実施例は、リモコンから設定可能なルーバ７の角度である最小角度（第１角度）を１段目とし、最大角度（第２角度）を７段目とした場合、前記第３角度は０．５段目の角度に相当し、この０．５段目の角度は、ユーザがリモコンから設定可能なルーバ角度ではなく、室内機１等に設けられている制御装置から、所定の運転条件の場合に自動的に設定される角度である。【００４５】  本実施例では、上述したように、各ルーバ７を前記第３角度（０．５段目の角度）の位置７ｃに設定できるように構成されており、空気調和機が予め定めた所定の運転条件の場合に、複数の吹出口５のルーバ７のうち、一部の吹出口５のルーバ７が前記第３角度の位置７ｃに設定されるものである。【００４６】  一部の吹出口５のルーバ７が前記第３角度（ルーバの全閉角度より大きく第１角度よりも小さい角度）の位置に設定されることにより、図６にハッチングの円で示すように、吹出口５の壁面とルーバ７の端部との間に小さい隙間２１を形成することができる。従って、この隙間２１から気流を吹き出させることができるので、風圧によるルーバのたわみを低減できる。従って、ルーバ７のたわみを小さく抑えることができるので、高温の空気を室内に吹き出す場合であってもルーバが塑性変形するのを抑制することができる。【００４７】  なお、前記第３角度に設定される前記ルー��７は、所定時間毎に順次切り替えられるように構成すると良い。また、他の吹出口５のルーバ７は前記リモコンから設定可能なルーバ動作が為される。即ち、他のルーバ７はオートスイングに設定されたり、或いは任意のルーバ角度に設定される。【００４８】  空気調和機の予め定めた前記所定の運転条件とは、例えば次のよう運転条件であり、次のような運転が為される場合に、複数の吹出口のルーバの内の一部の吹出口のルーバが、例えば室内機１に備えられている制御装置（図示せず）から自動的に前記第３角度に設定されるように構成すると良い。  （１）暖房運転が設定された場合。  （２）暖房運転時や冷房運転時に、外気温度と室温との温度差が予め定めた所定の温度差以上に大きい高負荷運転条件で運転される場合。  （３）暖房運転時や冷房運転時に、吹出し空気を床面付近など通常より遠くまで到達させる高速吹出し設定が為された場合。  （４）暖房運転時等に吹出し風速を大きくして、室内の上部と下部の温度差を小さくする攪拌運転が設定された場合、或いは空気調和機の制御装置が自動的に攪拌運転を実行する場合。【００４９】  なお、前記第３角度は、前述したように、ユーザが、リモコンから任意のルーバを、前記第３角度に設定することができるものではなく、高速吹出し設定などが為された場合に、空気調和機の制御装置から自動的に設定される角度である。例えば、上述した（１）（３）（４）の何れかの運転が設定されたり、或いは上記（２）の条件で運転される場合や上記（４）の攪拌運転が自動的に実行される場合に、前記制御装置から自動的に、何れかの吹出口５のルーバ７の角度が前記第３角度位置に設定される。【００５０】  このように構成することにより、前記第３角度に設定されたルーバ部分の吹出口５の開口面積は小さくなるから、その吹出口５から吹き出される風量は大幅に低減され、他の吹出口５からの吹出し風速を十分に増加できる。従って、吹出し空気を床面など十分遠くの位置まで到達させることが可能となる。【００５１】  また、前記第３角度に設定されたルーバ部分の吹出口５では、該吹出口５の壁面と前記ルーバ７の端部との間に前述した小さい隙間２１を形成することができ、この隙間２１から気流を吹き出させることができるので、風圧によるルーバ７のたわみを低減できる。従って、遠心ファン９の回転数を増加させ、多量の高温空気を室内に吹き出す場合であっても、ルーバ７のたわみを低減できるから、ルーバ７が塑性変形するのも抑制することができる。【００５２】  なお、上述した説明では、予め定めた所定の運転条件になると、複数の前記吹出口の内、一部の吹出口のルーバの角度を、前記第３角度に設定する構成としているが、この構成に代えて次のように構成しても良い。  即ち、前記所定の運転条件になった場合、複数の吹出口５の内の一部の吹出口のルーバ７の角度を、すぐに前記第３角度に制御するのではなく、まずルーバ７が塑性変形を起こさない程度の所定時間だけ、まず全閉角度に保持し、その後、前記所定時間経過後に前記ルーバ７を前記第３角度に制御するようにしても良い。【００５３】  このように構成することにより、前記ルーバ７が全閉角度に保持されている時には、前記第３角度に制御された場合よ���も、他の吹出口５からの吹出風速を更に大きくできるから、高速吹出しの効果を更に向上できる。しかも、全閉角度に制御された前記ルーバ７が塑性変形を起こす前に該ルーバ７を前記第３角度に制御するので、ルーバ７の塑性変形も防止できる効果が得られる。【００５４】  また、上述した説明では、リモコンで設定可能な最小角度を第１角度とし、室内機停止時のルーバ角度である全閉角度よりも大きく且つ前記第１角度よりも小さいルーバ角度を第３角度としたが、これに代えて、以下のように構成しても良い。  即ち、ルーバをオートスイングさせる機能を有する場合、オートスイング時のルーバの最小角度を第１角度とし、室内機停止時のルーバ角度である全閉角度よりも大きく且つ前記第１角度よりも小さいルーバ角度を第３角度に設定しても良い。【００５５】  以上説明したように、本実施例では、高速吹出し設定などが為された場合など、予め定めた所定の運転条件では、複数の前記吹出口５の内、一部の吹出口のルーバ７の角度を、室内機停止時のルーバ角度である全閉角度（０度）よりも大きく且つリモコンで設定可能な或いはオートスイング時の最小角度である第１角度よりも小さい第３角度に設定され、他の吹出口のルーバ７は前記第２角度或いはオートスイングに設定されるので、複数の吹出口５の一部の吹出口からの高速吹出しを可能にしつつ、各吹出口５に設けられているルーバ７のたわみを抑制することもできる。【００５６】  次に、従来の室内機１におけるルーバ動作と本実施例１における室内機１におけるルーバ動作を図７〜図１０を用いて説明する。図７は従来の空気調和機の室内機における立上げ運転時とその後の攪拌運転時でのルーバ動作を説明する図、図８は、図７において、立上げ運転時とその後の攪拌運転時に全てのルーバが下吹きとなった場合のショートサーキット現象について説明する図、図９は本実施例１の空気調和機の室内機における立上げ運転時とその後の攪拌運転時でのルーバ動作を説明する図、図１０は図９に示す攪拌運転時におけるルーバ動作と、吹出し空気の流れ及び吸込み空気の流れを説明する図である。【００５７】  従来の室内機において、暖房運転の立上げ運転時には、図７に示すように、図１に示されている４つの吹出口５のルーバ７Ａ〜７Ｄが前述した第２角度（下吹き）、即ち最大角度に制御され、その後、所定時間経過後に全ての前記ルーバ７Ａ〜７Ｄの全てがオートスイング動作を行い、攪拌運転が実施される。なお、攪拌運転は所定時間行われ、その後は通常運転になる。【００５８】  このため、暖房立上げ運転時には、４つの全ての吹出口５の風向が同時に第２角度（下吹き）になる。また、所定時間経過後に実施される前記攪拌運転時には全てのルーバ７Ａ〜７Ｄがオートスイング動作を行うため、このオートスイング動作中に４つの全てのルーバ７Ａ〜７Ｄが同時に前記第２角度（下吹き）になることもある。【００５９】  このように、４つの全てのルーバ７Ａ〜７Ｄが下吹きになると、図８に示すように、加熱された暖かい吹出し空気２２が室内空間Ｒに広がる前に、室内機１の中央下面に設けられている吸込口４に吸い込まれる現象、即ちショートサーキット現象（ショートサーキットの流れ２３を参照）が発生し易く��る。このため、空気調和機の暖房能力が低下すると共に、加熱された高温の吹出し空気をすぐに吸込むため、空気調和機の効率も低下する課題がある。  なお、図８において、２４は室内空間Ｒを形成している床面Ｆ付近から前記室内機１の吸込口４に吸込まれる室内冷気の流れを示している。【００６０】  従来の空気調和機の室内機の上記課題を解決した、本実施例１の空気調和機の室内機を、図９及び図１０を用いて説明する。本実施例１では、前述したショートサーキット現象を改善するため、図１に示されている４つの吹出口５のルーバ７Ａ〜７Ｄは、図９に示すように制御される。本実施例１においても、暖房立上げ運転時には、４つの全ての吹出口５のルーバ７Ａ〜７Ｄの風向が同時に前記第２角度（下吹き）に制御される点では図７に示すものと同じに制御される。【００６１】  本実施例１の室内機１が、図７，図８に示す従来のものと異なる点は、暖房立上げ運転が所定時間経過した後に実施される攪拌運転におけるルーバ７Ａ〜７Ｄの制御である。本実施例では、攪拌運転になると、４つの吹出口５のルーバ７の内、３つの吹出口５のルーバ７Ｂ〜７Ｄはオートスイング動作を行い攪拌運転が実施されるが、４つの吹出口５のルーバ７の内の一部の吹出口５のルーバ７Ａについては、図９に示すように、図５を用いて説明した前記第３角度（水平以上吹き）に制御されるものである。【００６２】  前記第３角度（水平以上吹き）は、図３に示す室内機停止時のルーバ角度である全閉角度（ルーバ角度０度）よりも大きく且つリモコンから設定可能な前記ルーバ７の最小開度である第１角度（１段目角度）よりも小さい角度（０．５段目角度）であり、例えば１４度などの角度である。【００６３】  また、前述したように、前記ルーバ７の第３角度の位置７ｃは、ユーザがリモコンから設定できる角度ではなく、予め定めた所定の運転条件となった場合に、空気調和機の室内機１等に備えられている制御装置から自動的に設定されるルーバ７の角度位置である。【００６４】  従来のものでは、前記攪拌運転時には全てのルーバ７Ａ〜７Ｄがオートスイング動作を行うため、このオートスイング動作中に４つの全てのルーバ７Ａ〜７Ｄが下向きになることがあり、その場合、図８で説明したようにショートサーキット現象を生じる課題があった。これに対し、本実施例１では、１つの吹出口５のルーバ７Ａを前記第３角度（水平以上吹き）とするので、以下の効果が得られる。【００６５】  即ち、図１０に示すように、第３角度となっている前記ルーバ７Ａを備える吹出口５からは、吹出し空気２２ａで示すように、室内空間Ｒの上方（天井２０側）に吹出されることになる。このため、ルーバ７Ａを備える吹出口５の下方には吸込空気の通り道２５が形成されるので、室内空間Ｒにおける下方の冷気が、室内空気の流れ２４で示すように、室内機１の吸込口４から容易に吸い込まれる。この結果、高温の吹出し空気の一部が、すぐに吸込口４から吸い込まれてしまうショートサーキット現象（図８参照）を抑制でき、加熱された高温の吹出し空気がすぐに吸込口から吸い込まれるのを抑制することで、室内空間Ｒにおける下方の冷気を効率良く室内機１に吸込ませることができるので、空気調和機の効率も向上できる効果が得られる。【００６６】  また、前記ルーバ７Ａが前記第３角度の位置に設定されるので、図６にハッチングの円で示すように、吹出口５の壁面とルーバ７の端部との間に小さい隙間２１を形成することができる。従って、前記隙間２１から気流を吹き出させることができるので、風圧によるルーバ７Ａのたわみを低減でき、高温の空気を室内に吹き出す場合であってもルーバが塑性変形するのを抑制することができる効果も得られる。【００６７】  このように、本実施例１によれば、ショートサーキットを抑制でき、且つルーバの撓みも防止できる空気調和機の室内機を得ることができる効果がある。また、前記第３角度に設定されたルーバ以外のルーバを有する吹出口５からは高速吹出しが可能となる。  なお、図９に示す暖房立上げ運転の動作は、ユーザが高負荷暖房モードなどを設定した場合に為されるものであり、高負荷暖房モードなどが設定されていると、空気調和機は自動的に図９に示す暖房立上げ運転の動作を実施する。暖房運転の開始直後には前記立上げ運転が所定時間、例えば３０分程度実施され、その後攪拌運転に移行する。この攪拌運転は１０分程度実施され、その後はユーザがリモコンから自由に設定できる通常運転に移行する。
【実施例２】
【００６８】  本発明の空気調和機の室内機の実施例２を、図１１を用いて説明する。室内機１の基本構成は、図１〜図６、図１０を用いて説明した前記実施例１と同様であるので、同様の部分については説明を省略し、本実施例２が上記実施例１と異なる部分を中心に説明する。【００６９】  図１１は、空気調和機の室内機の実施例２における立上げ運転時とその後の攪拌運転時でのルーバ動作を説明する図である。本実施例２においても、暖房立上げ運転時には、４つの全ての吹出口５のルーバ７Ａ〜７Ｄの風向が同時に前記第２角度（下吹き）に制御される点では図７に示すものと同じに制御される。【００７０】  本実施例２の室内機１が、上述した実施例１と異なる点は、図１１に示すように、暖房立上げ運転が所定時間経過した後に実施される攪拌運転におけるルーバ７Ａ〜７Ｄの制御である。本実施例２では、攪拌運転になると、まず４つの吹出口５のルーバ７の内、３つの吹出口５のルーバ７Ｂ〜７Ｄはオートスイング動作を行い攪拌運転が実施されるが、４つの吹出口５のルーバ７の内の一部の吹出口５のルーバ７Ａについては、図９に示すものと同様に、前記第３角度（水平以上吹き）に制御される。【００７１】  但し、本実施例２では、ルーバ７Ａが前記第３角度に制御されるのは予め定めた一定時間であり、その後、４つの吹出口５のルーバ７の内、３つの吹出口５のルーバ７Ａ，７Ｃ，７Ｄがオートスイング動作を行い攪拌運転が実施されるようにし、４つの吹出口５のルーバ７の内の一部の吹出口５のルーバ７Ｂが前記第３角度（水平以上吹き）に制御され固定される。【００７２】  更に、一定時間経過すると、今度は、３つの吹出口５のルーバ７Ａ，７Ｂ，７Ｄがオートスイング動作を行って攪拌運転が実施され、ルーバ７Ｃについては前記第３角度（水平以上吹き）に固定されるように制御され、更に一定時間経過すると、次は、３つの吹出口５のルーバ７Ａ〜７Ｃがオートスイング動作を行って攪拌運転が実施され、ルーバ７Ｄが前記第３角度（水平以上吹き）に固定されるように制御される。以降は、一定時間毎に順次同様の動作が繰り返されて攪拌運転を行うようにしたものである。なお、攪拌運転終了後は通常運転に移行する。【００７３】  この図１１に示すように、攪拌運転時に、第３角度となるルーバを、一定時間経過毎に順次切り替わるように制御することにより、以下の効果が得られる。  即ち、前記第３角度（水平以上吹き）となるルーバ下方の室内空間は暖まり難くなるが、本実施例２の構成とすることで、室内温度の偏りを緩和できる効果が得られる。
【実施例３】
【００７４】  本発明の空気調和機の室内機の実施例３を、図１２を用いて説明する。図１２は、空気調和機の室内機の実施例３における立上げ運転時とその後の攪拌運転時でのルーバ動作を説明する図である。なお、室内機１の基本構成は、図１〜図６、図１０を用いて説明した前記実施例１と同様であるので、同様の部分については説明を省略し、本実施例３が上記実施例１と異なる部分を中心に説明する。【００７５】  本実施例３においては、暖房立上げ運転時に、４つの吹出口５のルーバ７のうち、一部（本実施例では２つ）のルーバ７Ａ及び７Ｃの風向が同時に前記第２角度（下吹き）に制御され、他のルーバ７Ｂ及び７Ｄは前記第３角度（水平以上吹き）に制御されるようにしたものである。【００７６】  また、本実施例３では、暖房立上げ運転が所定時間経過した後に実施される攪拌運転におけるルーバ７Ａ〜７Ｄの制御については、図９で説明した実施例１と同様に制御される。即ち、本実施例３では、攪拌運転になると、４つの吹出口５のルーバ７の内、３つの吹出口５のルーバ７Ｂ〜７Ｄはオートスイング動作を行って攪拌運転が実施され、４つの吹出口５のルーバ７の内の一部の吹出口５のルーバ７Ａについては、図１２に示すように、前記第３角度（水平以上吹き）に制御されるように構成されている。【００７７】  本実施例３によれば、暖房立上げ運転時における下吹き運転時において、一部のルーバ７Ｂ，７Ｄは前記第３角度に制御されているので、他のルーバ７Ａ，７Ｃから下向きに吹出される風速を更に増速した高速吹出が可能となり、室内空間に居る人の周辺温度を早期に上昇できる効果が得られる。また、前記ルーバ７Ｂ，７Ｄは前記第３角度に制御されているので、これらのルーバ７Ｂ，７Ｄを備える吹出口５の下方には吸込空気の通り道２５（図１０参照）が形成され、室内空間Ｒにおける下方の冷気が室内機１の吸込口４から容易に吸い込まれるので、図８で説明したショートサーキット現象も抑制できる。【００７８】  また、暖房立上げ運転が所定時間経過した後に実施される攪拌運転におけるルーバ７Ａ〜７Ｄの制御は、図９に示す実施例１と同様に、ショートサーキットを抑制しつつ、室内空間の空気全体を万遍なく暖めることができる。【００７９】  更に、本実施例３では、暖房立上げ運転及び攪拌運転の何れの場合にも、一部のルーバが前記第３角度に制御されるので、図６を用いて説明したように、風圧によるルーバのたわみを低減でき、高温の空気を室内に吹き出す場合であってもルーバが塑性変形するのを抑制することができる。【００８０】  なお、上述した実施例３の説明では、暖房立上げ運転時にはルーバ７Ｂ，７Ｄを第３角度に制御する例を説明したが、第３角度に制御するルーバは７Ａ，７Ｃであっても良く、或いは４つのルーバのうちの何れか一つのルーバのみを前記第３角度に制御するようにしても良い。また、攪拌運転時にはルーバ７Ａを第３角度に制御する例を説明したが、第３角度に制御するルーバは、４つのルーバのうちの任意の一つのルーバを前記第３角度に制御すれば良く、或いは任意の複数のルーバを前記第３角度に制御する構成としても良い。【００８１】  以上説明したように、本発明の各実施例によれば、吸込口の周囲を取り��むように設けられた複数の吹出口と、前記各吹出口に設けられ吹出し方向を調節可能に構成されている複数のルーバを備える空気調和機の室内機において、暖房運転時には、複数の前記吹出口の内、一部の吹出口のルーバ角度を、全閉角度よりも大きく且つリモコンから設定可能な最小角度である第１角度よりも小さい第３角度に設定され、他の吹出口のルーバは下吹き或いはオートスイングに設定される構成としている。従って、前記第３角度に設定されたルーバ以外のルーバが、同時に、リモコンから設定可能な最大角度である第２角度になった場合でも、前記第３角度に制御されたルーバの下方には室内空気（冷気）を吸い込む通り道を確保することができるから、ショートサーキットを抑制することができる。【００８２】  即ち、前記第３角度に制御されたルーバを設けた吹出口からは水平方向以上の角度で空気が吹出されるため、そのルーバ下方には、室内空間下方の冷気が室内機の吸込口に吸込まれる通り道が形成される。従って、ショートサーキットが発生するのを抑制することができる。【００８３】  また、複数の前記吹出口の内、一部の吹出口のルーバを前記第３角度に設定するので、他の吹出口から吹出される風速を増大でき、室内空間に居る人の周辺の温度を早期に上昇させたり、攪拌運転を効率良く行うことができる。更に、前記第３角度に設定されているルーバには、高温空気の風圧が作用するのを緩和できるから、ルーバが撓んで塑性変形するのも抑制できる効果が得られる。【００８４】  なお、本発明は上述した実施例に限定されるものではなく、様々な変形例が含まれる。例えば、上述した実施例１〜３では、暖房立上げ運転時に、全ルーバを第２角度（下吹き）或いは一部のルーバを第３角度（水平以上吹き）にする例を説明したが、全ルーバをオートスイングに設定したり、一部のルーバを前記第３角度に設定し、他のルーバをオートスイングさせる構成にしても良い。  また、上述した実施例は本発明を分かりやすく説明するために詳細に説明したものであり、必ずしも説明した全ての構成を備えるものに限定されるものではない。
【符号の説明】
【００８５】  １：室内機１：筐体、３：化粧パネル、３ａ：断熱材、４：吸込口、５：吹出口、６：吸込グリル、７：ルーバ、７ａ：最小角度（第１角度）の位置、７ｂ：最大角度（第２角度）の位置、８：モータ、９：遠心ファン、１０：熱交換器、１１：ドレンパン、１２：吸込部、１３：吐出部、１４：風路、１５：ベルマウス、１６：電気品箱、１７：吸込フィルタ、１８：中心軸、１９：取付部材、２０：天井、２１：隙間、２２，２２ａ：吹出し空気、２３：ショートサーキットの流れ、２４：室内空気の流れ、２５：吸込空気の通り道、Ｆ：床面、Ｒ：室内空間。
【図１】
2019155513.tif 000003
【図２】
2019155513.tif 000004
【図３】
2019155513.tif 000005
【図４】
2019155513.tif 000006
【図５】
2019155513.tif 000007
【図６】
2019155513.tif 000008
【図７】
2019155513.tif 000009
【図８】
2019155513.tif 000010
【図９】
2019155513.tif 000011
【図１０】
2019155513.tif 000012
【図１１】
2019155513.tif 000013
【図１２】
2019155513.tif 000014
【国際調査報告】
2019155513.tif 000015
2019155513.tif 000016
2019155513.tif 000017
2019155513.tif 000018